(57)【要約】【課題】  少ない部品点数であるとともに、簡単な制御で、液体カートリッジの液体収容部と加圧室との間における空気の圧力を大気圧とする。【解決手段】  インクジェット式記録装置は、インクカートリッジのインクケースとインクパックとの間に連通する加圧チューブ３７を備える。加圧ポンプ２５は、加圧チューブ３７に連通する押圧装置４３と空気室４５とを備える。押圧装置４３は、加圧ポンプモータ５９、リードスクリュー６１，６２、当接部６４を備える。空気室４５は、蛇腹部材８１、第１及び第２のシール部材８３，８７等を備え、ディフューザ孔８７ａのみを介して外部に連通する内部空間Ｓが形成されている。加圧ポンプモータ５９が正逆回転するとリードスクリュー６１，６２を介して当接部６４が上下方向に移動し、空気室４５の内部空間Ｓの容積を気密状態で増減させたり、大気に開放させたりする。【選択図】      図３
2004358956.tif 000002
【特許請求の範囲】
【請求項１】
可撓性部を有し液体を内包可能な液体収容部と同液体収容部の前記可撓性部を加圧する加圧室とを備えた液体カートリッジと、前記液体を噴射する液体噴射ヘッドと、前記液体収容部内の液体を前記液体噴射ヘッドへと導く液体流路と、加圧空気を形成する加圧ポンプと、前記加圧空気を前記加圧室に導く空気流路とを備えた液体噴射装置において、
前記加圧ポンプは、
前記空気流路と連通している空気室と、
前記空気室に対して当接しながら前記空気室を押圧することにより前記空気室の容積を減少させる押圧手段と
を備え、
前記空気室は、前記押圧手段による当接及び非当接によって、前記空気室の内部空間と外部空間とを非連通及び連通とさせる連通手段を備えたことを特徴とする液体噴射装置。
【請求項２】
請求項１に記載の液体噴射装置において、
前記加圧ポンプは、前記押圧手段と前記空気室の間に、前記押圧手段が前記空気室を押圧する際に、前記空気室が前記押圧手段に向かって当接するように付勢する付勢手段を設けたことを特徴とする液体噴射装置。
【請求項３】
請求項１又は２に記載の液体噴射装置において、
前記加圧ポンプの前記押圧手段は、液体噴射動作中では、前記空気室に対して当接状態にし、液体噴射動作休止中では、前記押圧手段を前記空気室に対して非当接状態にすることを特徴とする液体噴射装置。
【請求項４】
請求項１〜３のいずれか１つに記載の液体噴射装置において、
前記空気室は、ブロー成形により形成されていることを特徴とする液体噴射装置。
【請求項５】
請求項１〜４のいずれか１つに記載の液体噴射装置において、
前記空気室は、
前記押圧手段との当接部分が弾性部材によって形成されていることを特徴とする液体噴射装置。
【請求項６】
請求項１〜５のいずれか１つに記載の液体噴射装置において、
前記空気室は、蛇腹形状に形成されていることを特徴とする液体噴射装置。
【請求項７】
請求項１〜６のいずれか１つに記載の液体噴射装置において、
前記押圧手段は、
モータと、
前記空気室に対して当接することにより前記空気室の前記連通手段を閉塞するとともに、前記空気室から非当接することにより前記連通手段を開放する当接部と、
前記モータの回転運動を、前記当接部が前記空気室に対する当接方向及び非当接方向の往復運動に変換する変換手段と
を備えたことを特徴とする液体噴射装置。
【請求項８】
請求項７に記載の液体噴射装置において、
前記変換手段は、リードスクリューであることを特徴とする液体噴射装置。
【請求項９】
請求項８に記載の液体噴射装置において、
前記リードスクリューは、複数設けられていることを特徴とする液体噴射装置。
【請求項１０】
請求項６〜９のいずれか１つに記載の液体噴射装置において、
前記空気室の容積を検出する容積検出手段を備え、
前記容積検出手段によって検出された前記容積に基づいて、前記モータの回転を制御する制御手段を備えたことを特徴とする液体噴射装置。
【請求項１１】
請求項１０に記載の液体噴射装置において、
前記容積検出手段は、
前記当接部の位置を検出するセンサであることを特徴とする液体噴射装置。
【請求項１２】
可撓性部を有し液体を内包可能な液体収容部と同液体収容部の前記可撓性部を加圧する加圧室とを備えた液体カートリッジと、前記液体を噴射する液体噴射ヘッドと、前記液体収容部内の液体を前記液体噴射ヘッドへと導く液体流路と、加圧空気を形成する加圧ポンプと、前記加圧空気を前記加圧室に導く空気流路とを備えた液体噴射装置の駆動方法において、
前記加圧ポンプは、
前記空気流路と連通している空気室と、
モータと、
前記空気室に対して当接することにより前記空気室の内部空間と外部空間とを連通させる連通手段を閉塞するとともに、前記空気室から非当接することにより前記連通手段を開放する当接部と、
前記モータの回転運動を、前記当接部が前記空気室に対する当接方向及び非当接する方向に往復運動するように変換する変換手段と
を備え、
容積検出手段が、前記空気室の容積を検出する段階と、
制御手段が、前記容積検出手段によって検出された前記容積が所定値以下である場合に、前記液体噴射ヘッドからの前記液体の噴射を停止させるように前記液体噴射ヘッドの駆動を制御する段階と
を備えたことを特徴とする液体噴射装置の駆動方法。
【請求項１３】
請求項１２に記載の液体噴射装置の駆動方法において、
前記液体噴射ヘッドから噴射される液体が付着するターゲットを移動させるターゲット移動手段を備え、
前記制御手段が、前記容積検出手段によって検出された前記容積が所定値以下である場合に、前記ターゲット移動手段によるターゲットの移動が行われるように前記ターゲット移動手段の駆動を制御する段階をさらに備えたことを特徴とする液体噴射装置の駆動方法。
【発明の詳細な説明】
【技術分野】
【０００１】
本発明は、液体噴射装置及びその駆動方法に関する。
【背景技術】
【０００２】
従来から、液体をターゲットに対して噴射させる液体噴射装置として、インクジェット式記録装置が広く用いられていた。詳しくは、このインクジェット式記録装置は、キャリッジと、同キャリッジに搭載された記録ヘッドと、液体としてのインクを貯留するインクカートリッジとを備えていた。そして、キャリッジをターゲットとしての記録媒体に対して相対移動させながら、インクカートリッジから記録ヘッドへとインクを供給し、記録ヘッドに形成されたノズルからインクを吐出することによって、記録媒体に対して印刷が行われるようになっていた。
【０００３】
なお、このようなインクジェット式記録装置の中には、キャリッジへの負荷を低減させたり、装置を小型化、薄型化させたりするために、インクカートリッジをキャリッジに搭載させない構成（いわゆるオフキャリッジ型）とするものがあった。そして、このようなインクカートリッジは、通常、インクを収容するインクパックと、同インクパックを収容するケースとを備えていた。
【０００４】
そして、インクパックとケースとの間の隙間に、加圧ポンプにおいて加圧された空気を供給することで、インクパックを押し潰し、インクパックからキャリッジ上の記録ヘッドへとインクを供給するようになっていた。
【０００５】
なお、このような加圧ポンプとして、例えば、ダイヤフラム式ポンプを使用することが知られていた（例えば、特許文献１参照。）。詳しくは、この特許文献１におけるダイヤフラム式ポンプは、ダイヤフラムを備えたポンプ室と、吸引用一方向弁、吐出用一方向弁とを備えていた。そして、ポンプ室は、ダイヤフラムの変形により、その容積が変化するようになっていた。
【０００６】
吸引用一方向弁は、ポンプ室と外部（大気）との間に設けられており、ポンプ室内の圧力がほぼ大気圧未満となったときにのみ開弁し、ポンプ室内に大気を流入させるための弁となっていた。また、吸引用一方向弁は、ポンプ室内の圧力がほぼ大気圧以上となると閉弁し、ポンプ室内の空気が外部に流出することを阻止するようになっていた。従って、吸引用一方向弁は、外部からポンプ室内に流入する空気のみを許容し、その逆を流れようとする空気を阻止する弁となっていた。
【０００７】
さらに、吐出用一方向弁は、インクパックとケースとの間の隙間と、ポンプ室との間に設けられており、ポンプ室内の圧力が、インクパックとケースとの間の隙間の圧力以上となったときにのみ開弁し、ポンプ室内の空気を、インクパックとケースとの間の隙間に流出させる弁となっていた。そして、吐出用一方向弁は、ポンプ室内の圧力が、インクパックとケースとの間の隙間における圧力未満となったときに閉弁し、インクパックとケースとの間の隙間からポンプ室内に空気が逆流することを阻止するようになっていた。従って、吐出用一方向弁は、ポンプ室からインクパックとケースとの間の隙間へと流出する空気のみを許容し、その逆に流れようとする空気を阻止する弁となっていた。
【０００８】
以上により、このダイヤフラム式ポンプは、ポンプ室の容積の縮小及び拡大を繰り返すことにより、吸引用一方向弁から空気を吸い込み、吸い込んだ空気を加圧して、インクパックとケースとの間の隙間に送り出すようになっていた。
【特許文献１】特開２０００−３５２３７９号公報
【発明の開示】
【発明が解決しようとする課題】
【０００９】
ところで、この特許文献１におけるダイヤフラム式ポンプでは、インクパックとケースとの間の空気は、ポンプ室側へと逆流することができないような構造となっていた。従って、インクパックとケースとの間の空気は、常に加圧された状態となっていた。このため、インクパックとケースとの間の加圧空気により、ケースが膨張し、インクカートリッジをインクジェット式記録装置の本体ケースから取り外すときに、取り外し難くなることがあった。
【００１０】
また、インクパックについても常に加圧された状態となっているため、インクカートリッジをインクジェット式記録装置の本体ケースから取り外すときに、インクパックとインク供給チューブ等との接続部からインクが漏れ出すおそれもあった。
【００１１】
そこで、ダイヤフラム式ポンプとインクカートリッジとの間のいずれかの部分に、インクカートリッジ内の空気の圧力を大気圧にすることのできる、大気開放弁等を設けることが考えられていた。これにより、インクカートリッジをインクジェット式記録装置の本体ケースから取り外すときに、インクカートリッジ内の空気を大気圧とすることができ、上記の問題点を解決するようになっていた。
【００１２】
ところが、このような大気開放弁を設けることにより、装置全体の部品点数が増加し生産効率を低下させたりスペースを増大させたりしてしまう可能性があった。また、大気開放弁を、電磁弁等で構成する場合には、制御を複雑にしてしまうという可能性もあった。
【００１３】
本発明は、上記問題点に鑑みてなされたものであり、その目的は、少ない部品点数であるとともに、簡単な制御で、液体カートリッジの液体収容部と加圧室との間における空気の圧力を大気圧とすることのできる、液体噴射装置及びその駆動方法を提供することにある。
【課題を解決するための手段】
【００１４】
本発明は、可撓性部を有し液体を内包可能な液体収容部と同液体収容部の前記可撓性部を加圧する加圧室とを備えた液体カートリッジと、前記液体を噴射する液体噴射ヘッドと、前記液体収容部内の液体を前記液体噴射ヘッドへと導く液体流路と、加圧空気を形成する加圧ポンプと、前記加圧空気を前記加圧室に導く空気流路とを備えた液体噴射装置において、前記加圧ポンプは、前記空気流路と連通している空気室と、前記空気室に対して当接しながら前記空気室を押圧することにより前記空気室の容積を減少させる押圧手段とを備え、前記空気室は、前記押圧手段による当接及び非当接によって、前記空気室の内部空間と外部空間とを非連通及び連通とさせる連通手段を備えた。
【００１５】
本発明によれば、押圧手段によって空気室が押圧されることにより、空気室の容積が減少され、空気室及び空気流路内の空気の圧力が上昇される。そして、この結果、加圧ポンプが加圧状態となり、空気室から空気流路を介して液体カートリッジの加圧室に流入する空気が、液体収容部を押し潰し、液体収容部内の液体が液体噴射ヘッドへと導かれる。また、押圧手段による空気室の押圧が停止され、押圧手段が、空気室から離間し始めると、非当接状態となる。この結果、加圧ポンプが非加圧状態となり、空気室から空気流路を介して液体カートリッジの隙間に流入される空気の流れが停止され、液体噴射ヘッドへと導かれる液体の流れが停止する。
【００１６】
なお、このとき、加圧ポンプが加圧状態となっている場合には、押圧手段によって空気
室の連通手段が非連通状態とされるので、空気室の気密性が保たれた状態となり、空気が効果的に加圧される。一方、加圧ポンプが非加圧状態となり、押圧手段が空気室から離間すると、連通手段が大気に対して連通状態とされて、空気室の内部空間に対して連通手段を介して外部空間から空気が流入する。この結果、空気室及び空気流路の内部が大気圧とほぼ等しくなる。
【００１７】
従って、本発明によれば、加圧ポンプの非加圧時には、空気流路や液体カートリッジ内の隙間における空気が大気圧とされるので、液体カートリッジの変形を防ぐことができ、液体カートリッジを液体噴射装置の本体ケース等に対して着脱することが容易となる。また、液体カートリッジの着脱時に、液体収容部と液体流との接続部から、液体の漏出が生じることを防ぐことができる。
【００１８】
また、本発明においては、押圧手段の位置を変更することで、加圧ポンプにおいて加圧空気を作成したり、空気室及び空気流路の内部の圧力を大気圧にしたりすることが可能であり、空気室及び空気流路の内部を大気圧とほぼ等しくするために、電磁弁等の新たな大気開放弁を設ける必要がない。従って、部品点数が増加や、制御の複雑化を防ぐことができる。
【００１９】
この液体噴射装置において、前記加圧ポンプは、前記押圧手段と前記空気室の間に、前記押圧手段が前記空気室を押圧する際に、前記空気室が前記押圧手段に向かって当接するように付勢する付勢手段を設けた。
【００２０】
これによれば、空気室が例えばクリープ等によって、空気室が押圧手段に対して非当接状態になる場合がある。このとき、付勢手段によって空気室が押圧手段に向かって当接するように付勢されるため、押圧手段が空気室を押圧する際に、空気室に対して当接しながら空気室を押圧することができる。
【００２１】
この液体噴射装置において、前記加圧ポンプの前記押圧手段は、液体噴射動作中では、前記空気室に対して当接状態にし、液体噴射動作休止中では、前記押圧手段を前記空気室に対して非当接状態にする。
【００２２】
これによれば、加圧ポンプの押圧手段は、液体噴射動作休止中では、押圧手段を空気室に対して非当接状態にして、空気室の内部空間と外部空間とを連通させる。つまり、液体噴射動作休止中は、液体カートリッジの加圧室を外部空間と連通させる。従って、液体カートリッジの加圧室の膨張がなく、液体カートリッジを液体噴射装置から着脱することが容易となる。さらに、液体カートリッジを液体噴射装置から着脱するときに、液体収容部の排出口から液体が漏出するがない。
【００２３】
この液体噴射装置において、前記空気室は、ブロー成形により形成されている。
これによれば、簡易な製造装置を用いて、空気室を容易に製造することができる。コストを低減できる。
【００２４】
この液体噴射装置において、前記空気室は、前記押圧手段との当接部分が弾性部材によって形成されている。
これによれば、空気室と押圧手段との間の密着性が増し、連通手段の閉塞性を高めて、加圧時の気密性を高めることができる。
【００２５】
この液体噴射装置において、前記空気室は、蛇腹形状に形成されている。
これによれば、空気室の容積変化のときの空気室の収縮及び拡張の方向が直線状となり、変換手段をコンパクトとすることができる。また、空気室の押圧に加える負荷が低減さ
れる。
【００２６】
この液体噴射装置において、前記押圧手段は、モータと、前記空気室に対して当接することにより前記空気室の前記連通手段を閉塞するとともに、前記空気室から非当接することにより前記連通手段を開放する当接部と、前記モータの回転運動を、前記当接部が前記空気室に対する当接方向及び非当接方向の往復運動に変換する変換手段とを備えた。
【００２７】
これによれば、装置全体をコンパクトにすることができる。また、制御が容易となる。
この液体噴射装置において、前記変換手段は、リードスクリューである。
これによれば、リードスクリューは、カム機構に比較してコンパクトであるので、装置全体をコンパクトにすることができる。また、リードスクリューは、前記当接部の変位を線形的に変化させることが可能であり、空気室の容積変化の制御を容易にすることができる。
【００２８】
この液体噴射装置において、前記リードスクリューは、複数設けられている。
これによれば、蛇腹形状等に形成された空気室の座屈を防ぎ、空気室の容積変化を安定的に行うことができる。
【００２９】
この液体噴射装置において、前記空気室の容積を検出する容積検出手段を備え、前記容積検出手段によって検出された前記容積に基づいて、前記モータの回転を制御する制御手段を備えた。
【００３０】
これによれば、空気室が収縮することによって、空気流路内の圧力を所定の圧力に維持することができなくなったことを、容積検出手段において検出された容積によって知ることができる。そして、最大限収縮していると判断された場合には、空気室の容積を増加させるようにモータを回転させてから、再度空気室の容積を減少させるようにモータの回転を制御することにより、引き続き、空気流路内の圧力を所定の圧力に維持することができるようになる。
【００３１】
この液体噴射装置において、前記容積検出手段は、前記当接部の位置を検出するセンサである。
これによれば、簡単な構成で容積を検出することができる。
【００３２】
本発明は、可撓性部を有し液体を内包可能な液体収容部と同液体収容部の前記可撓性部を加圧する加圧室とを備えた液体カートリッジと、前記液体を噴射する液体噴射ヘッドと、前記液体収容部内の液体を前記液体噴射ヘッドへと導く液体流路と、加圧空気を形成する加圧ポンプと、前記加圧空気を前記加圧室に導く空気流路とを備えた液体噴射装置の駆動方法において、前記加圧ポンプは、前記空気流路と連通している空気室と、モータと、前記空気室に対して当接することにより前記空気室の内部空間と外部空間とを連通させる連通手段を閉塞するとともに、前記空気室から非当接することにより前記連通手段を開放する当接部と、前記モータの回転運動を、前記当接部が前記空気室に対する当接方向及び非当接する方向に往復運動するように変換する変換手段とを備え、容積検出手段が、前記空気室の容積を検出する段階と、制御手段が、前記容積検出手段によって検出された前記容積が所定値以下である場合に、前記液体噴射ヘッドからの前記液体の噴射を停止させるように前記液体噴射ヘッドの駆動を制御する段階とを備えた。
【００３３】
これによれば、容積検出手段によって空気室内の容積が所定値以下であると検出されると、液体噴射ヘッドからの液体の噴射が停止される。この結果、加圧ポンプの空気室が最小限収縮し、これ以上加圧ポンプによる液体カートリッジの隙間における圧力上昇ができず、液体収容部から液体噴射ヘッドへと液体が供給されていない場合に、液体噴射ヘッド
からの液体の噴射が停止される。そして、液体噴射ヘッドにおける空打が防止される。
【００３４】
この液体噴射装置の駆動方法において、前記液体噴射ヘッドから噴射される液体が付着するターゲットを移動させるターゲット移動手段を備え、前記制御手段が、前記容積検出手段によって検出された前記容積が所定値以下である場合に、前記ターゲット移動手段によるターゲットの移動が行われるように前記ターゲット移動手段の駆動を制御する段階をさらに備えた。
【００３５】
これによれば、容積検出手段によって空気室内の容積が所定値以下であると検出された場合に、液体噴射ヘッドからの液体の噴射が停止されるとともに、ターゲット移動手段によるターゲットの移動が行われる。従って、ターゲットへの液体の噴射が行われていないときに、ターゲットの移動を行うことができ、液体噴射の効率を向上させることができる。
【発明を実施するための最良の形態】
【００３６】
（第１実施形態）
以下、本発明を具体化した第１実施形態を図１〜図７に従って説明する。
図１に示すように、本実施形態の液体噴射装置としてのインクジェット式記録装置１１は、本体ケース１２、プラテン１３、ガイド軸１４、キャリッジ１５、タイミングベルト１６、キャリッジモータ１７、液体噴射ヘッドとしての記録ヘッド２０を備える。さらに、インクジェット式記録装置１１は、バルブユニット２１、液体カートリッジとしてのインクカートリッジ２３、加圧ポンプ２５を備える。本体ケース１２は、略直方体形状の箱体であり、図１に示す右側端部にはカートリッジホルダ１２ａが形成されている。なお、本実施形態においては、本体ケース１２の長手方向を主走査方向というものとする。
【００３７】
プラテン１３は、本体ケース１２内において、主走査方向に沿って架設されており、ターゲット移動手段としての紙送り手段（図示しない）を介して送出されるターゲットとしての記録媒体（図示しない）を支持するための部材となっている。なお、本実施形態においては、記録媒体は、前記主走査方向と直交する方向、すなわち、副走査方向に送出されるものとする。
【００３８】
ガイド軸１４は棒状に形成され、前記プラテン１３と平行、すなわち、主走査方向に沿って、本体ケース１２内に架設されている。キャリッジ１５は、前記プラテン１３と対向する位置において、前記ガイド軸１４に対して相対移動可能に貫挿されており、主走査方向に往復移動可能となっている。
【００３９】
そして、キャリッジ１５は、タイミングベルト１６を介してキャリッジモータ１７に接続されている。キャリッジモータ１７は本体ケース１２に支持されており、キャリッジモータ１７が駆動されることにより、タイミングベルト１６を介してキャリッジ１５が駆動され、キャリッジ１５がガイド軸１４に沿って、すなわち、主走査方向に往復移動される。
【００４０】
記録ヘッド２０は、キャリッジ１５の前記プラテン１３と対向する面に設けられており、プラテン１３側に向かってインクを噴射させるための複数の図示しないノズルを備えている。バルブユニット２１は、キャリッジ１５上に搭載されており、一時貯留したインクを、圧力を調整した状態で前記記録ヘッド２０へと供給するようになっている。なお、本実施形態においては、バルブユニット２１は、インクの色（ブラック、イエロー、マゼンタ、シアン）に対応して４個具備されている。
【００４１】
インクカートリッジ２３は、前記カートリッジホルダ１２ａに対して着脱可能に収容さ
れており、前記インクの色に対応して４個具備されている。そして、図２には、４個のインクカートリッジ２３のうちの１つを示しており、インクカートリッジ２３は、加圧室としてのインクケース３１と液体収容部としてのインクパック３２とを備えている。インクケース３１は略直方体状に形成されている。
【００４２】
また、インクパック３２は、２枚の可撓性部としてのフィルム材を重ね合わせて形成され、その内部に液体としてのインクが封入されている。
そして、インクパック３２は、インク排出口３２ａを備え、前記インクケース３１内に収納されている。なお、このとき、インク排出口３２ａのみがインクケース３１から露出した状態となり、それ以外の部分がインクケース３１内に気密状態となるようにして収納される。従って、インクケース３１とインクパック３２との間には、隙間３３が形成されている。
【００４３】
また、前記インクケース３１には、前記隙間３３に連通する連通孔（図示しない）が設けられており、この連通孔を介して空気を流入させることにより、隙間３３における圧力を上昇させ、インクパック３２を押し潰すような力を発生させることが可能となっている。そして、インクパック３２のインク排出口３２ａは、図１に示すように、インクの色毎に設けられている液体流路としてのインク供給チューブ３５を介して、前記バルブユニット２１に対して接続されている。従って、インクケース３１内の隙間３３に空気を導入することにより、インクパック３２内のインクは、インク供給チューブ３５を介して、バルブユニット２１に対して供給される。
【００４４】
加圧ポンプ２５は、本実施形態においては、インクカートリッジ２３の上に位置するようにして、本体ケース１２に対して固定されている。そして、加圧ポンプ２５は、大気を吸引して加圧空気として排出することが可能となっているが、その詳細な構成については後述する。そして、加圧ポンプ２５において加圧された空気は、空気流路を構成する加圧チューブ３７を介して圧力検出器３８に供給される。
【００４５】
圧力検出器３８では、加圧ポンプ２５から供給された空気の圧力が検出される。そして、本実施形態においては、検出された圧力に基づいて、加圧ポンプ２５の駆動が調整されるものとする。従って、加圧ポンプ２５から供給された空気は、圧力検出器３８によって、所定範囲内の圧力となるように調整される。そして、圧力検出器３８は、空気流路を構成する４本の空気供給チューブ３９を介して前記インクカートリッジ２３の連通孔に対して接続されており、インクカートリッジ２３の前記隙間３３に所定範囲内の圧力となるように調整された空気が導入されるようになっている。
【００４６】
以上により、各インクカートリッジ２３におけるインクパック３２は、加圧ポンプ２５から供給される加圧空気によって加圧され、インクパック３２内のインクが、前記バルブユニット２１に対して供給される。そして、バルブユニット２１において一時貯留されたインクは、圧力が調整された状態で、記録ヘッド２０へと供給される。
【００４７】
このとき、画像データに基づいて、紙送り手段によって記憶媒体を副走査方向に移動させながら、キャリッジ１５を主走査方向に移動させ、記録ヘッド２０からインクを噴射させることにより、記録媒体上に印刷を行うことが可能となる。
【００４８】
次に、前記加圧ポンプ２５について図３及び図４に従って説明する。
図３及び図４に示すように、加圧ポンプ２５は、支持体４１、押圧手段としての押圧装置４３、空気室４５及び検出部４６を備える。支持体４１は、上側板４７と下側板４８とを備え、上側板４７と下側板４８とは、互いに平行となるようにして相対するように配置されている。また、支持体４１は、上側板４７及び下側板４８に対して直交するようにし
て設けられている連結板５１とを一体に備える。
【００４９】
上側板４７は、その中央に大径孔５３が設けられているとともに、大径孔５３を挟むようにして、左右一対の小径孔５４，５５（図３参照）を備える。なお、小径孔５４，５５は、各孔の内径が等しくなっているとともに、前記大径孔５３に比較して非常に小さな内径となっている。
【００５０】
下側板４８は、その中央部付近にギア貫挿孔５７が設けられているとともに、ギア貫挿孔５７を挟むようにして、左右一対のリードスクリュー支持部（図示しない）を備える。なお、リードスクリュー支持部は、それぞれ、上側板４７の小径孔５４，５５と相対するような位置に設けられている。また、連結板５１は、前記上側板４７と下側板４８との間の、図３に示す背面側に位置し、上側板４７と下側板４８とを連結するようにして設けられている。そして、連結板５１が、本体ケース１２に対して固定されることにより、支持体４１は、本体ケース１２に対して固定されている。
【００５１】
押圧装置４３は、モータとしての加圧ポンプモータ５９、変換手段としての２本のリードスクリュー６１，６２、及び当接部６４を備える。加圧ポンプモータ５９は、端子６７を備え、端子６７から供給される電力及び制御信号に基づいて、正逆回転される出力軸６８を備える。そして、加圧ポンプモータ５９は、その出力軸６８を前記下側板４８のギア貫挿孔５７に対して、図３の下側から貫挿させるようにして、前記本体ケース１２に固定されている。また、出力軸６８は複数の溝が切られており、ギアとして機能するようになっている。
【００５２】
リードスクリュー６１，６２は、それぞれ同形状に形成されており、軸部６１ａ，６２ａと、従動ギア６１ｂ，６２ｂとを備える。軸部６１ａ，６２ａは、その中央部に雄ネジが切られている。なお、各軸部６１ａ，６２ａの雄ネジの向きは、同方向となっている。そして、軸部６１ａ，６２ａの上端部と下端部とには、それぞれ雄ネジが切られていないようになっており、上端部は、上側板４７の小径孔５４，５５に対して回転可能に貫挿支持されている。また、軸部６１ａ，６２ａの下端部は、前記下側板４８のリードスクリュー支持部に対して、同じく、回転可能に支持されている。すなわち、リードスクリュー６１，６２は、それぞれ、上端部と下端部とが、上側板４７と下側板４８とに支持された状態で、軸心を中心に回動可能となっている。
【００５３】
また、従動ギア６１ｂ，６２ｂは、軸部６１ａ，６２ａのそれぞれの下部に配置され、従動ギア６１ｂ，６２ｂと軸部６１ａ，６２ａとは、それぞれ一体に設けられている。この従動ギア６１ｂ，６２ｂは、それぞれの間に位置する２段ギア６３に噛合されている。詳しくは、２段ギア６３は、図３に示す上側から下側に向かって、上段側ギア部６３ａ，下段側ギア部６３ｂを一体に備える。そして、上段側ギア部６３ａ及び下段側ギア部６３ｂは、その回転中心が一致した状態で、上下方向に重ね合わされており、図示しない支持手段を介して、前記下側板４８に対して回転可能に支持されている。
【００５４】
なお、上段側ギア部６３ａは、下段側ギア部６３ｂよりも大径となるようにして形成されており、前記加圧ポンプモータ５９の出力軸６８に対して係合されている。また、下段側ギア部６３ｂは、前記リードスクリュー６１，６２の従動ギア６１ｂ，６２ｂに対して係合されている。従って、加圧ポンプモータ５９の回転により、出力軸６８が回動することにより、２段ギア６３を介してリードスクリュー６１，６２が回動するようになっている。
【００５５】
なお、本実施形態においては、加圧ポンプモータ５９が正回転することにより、２段ギア６３が逆回転し、従動ギア６１ｂ，６２ｂが正回転する。また、加圧ポンプモータ５９
が逆回転することにより、２段ギア６３が正回転し、従動ギア６１ｂ，６２ｂが逆回転する。
【００５６】
当接部６４は、板状に形成され、前記上側板４７及び下側板４８と平行に位置している。そして、当接部６４の中央部には、略円筒形状となるように上側に突出する第１の円筒状凸部７１が形成されている。第１の円筒状凸部７１には、その中央部付近に、上下方向に貫通する貫通孔７３が形成されている。
【００５７】
そして、第１の円筒状凸部７１には、その上面側に、貫通孔７３を環状に囲うようにして環状凸部７５が形成されている。さらに、第１の円筒状凸部７１の下面側には、貫通孔７３を環状に囲うようにして円筒部７６が突設されている。なお、この円筒部７６は、前記上側板４７及び下側板４８と平行となる環状の段差７６ａが設けられており、上部に比較して下部の方が、外径が小さくなっている。そして、この円筒部７６には、前記加圧チューブ３７の一端がしまり嵌めとなるようにして外嵌され、段差７６ａによって加圧チューブ３７の上方への移動が規制されている。
【００５８】
また、当接部６４は、前記第１の円筒状凸部７１を挟むようにして左右一対の円筒状係合部７７，７８を備える。そして、各円筒状係合部７７，７８には、上下方向に雌ネジ孔７７ａ，７８ａが貫通形成されている。なお、この雌ネジ孔７７ａ，７８ａには、それぞれの内周面に、お互いに同方向となる雌ネジが切られている。また、図１に示す右側の円筒状係合部７８には、その側面から右側に向かって、レバー押上部７９が延設されている。
【００５９】
そして、以上のように構成された当接部６４は、各雌ネジ孔７７ａ，７８ａの雌ネジに、前記リードスクリュー６１，６２の軸部６１ａ，６２ａに形成された雄ネジが螺合することにより支持される。また、前記リードスクリュー６１，６２が正回転することにより、当接部６４は、図３に示す上方に向かって移動するようになる。さらに、リードスクリュー６１，６２が逆回転することにより、当接部６４は、図３に示す下方に向かって移動する。すなわち、当接部６４は、リードスクリュー６１，６２の回転運動により、上下方向に直線的に移動するようになっている。
【００６０】
空気室４５は、蛇腹部材８１，第１のシール部材８３，ガイド部材８５，第２のシール部材８７を備える。蛇腹部材８１は、筒形状に形成され、上部が閉塞するとともに、下部に円形の開口部８１ａが設けられている。そして、側面が複数の折り返され、蛇腹形状となっている。従って、蛇腹部材８１は、上方及び下方から挟み込むようにして押圧されることにより、上下方向に伸縮するようになっている。この結果、蛇腹部材８１は、その容積が、伸縮に伴って増減するようになっている。なお、この蛇腹部材８１は、樹脂等をブロー成形することにより形成されている。
【００６１】
また、蛇腹部材８１は、その上端部における外径が、前記上側板４７に設けられている大径孔５３の内径よりも大きくなっている。そして、蛇腹部材８１の複数の折り返し部のうち、最も上部に設けられている部分を、大径孔５３に対して係合させることにより、蛇腹部材８１は、その上端部が、上側板４７に対して固定される。
【００６２】
第１のシール部材８３は、弾性部材、例えば、ゴム等により形成されており、環状に形成されている。そして、第１のシール部材８３の外径は、前記蛇腹部材の開口部８１ａの内径よりも若干大きな大きさとなっており、図３に示すように、開口部８１ａ内にしまり嵌めとなるようにして内嵌されている。
【００６３】
図３及び図４に示すように、ガイド部材８５は、板状に形成されており、前記上側板４
７及び下側板４８と平行になるように位置している。そして、その中央部には、上方に向かって円筒形状の第２の円筒状凸部８９が突設されている。この第２の円筒状凸部８９は、下側から順に、大径部９１及び小径部９３を備え、大径部９１は、前記当接部６４の第１の円筒状凸部７１の外径よりも若干大きな内径を有している。また、大径部９１は、前記第１のシール部材８３の内径よりも若干大きな外径を有している。
【００６４】
さらに、小径部９３は、大径部９１よりも小径に形成され、その上面には、上下方向に貫通する貫通孔９３ａが形成されている。そして、以上のように構成されたガイド部材８５は、大径部９１が、前記第１のシール部材８３に対してしまり嵌めとなるようにして内嵌されることにより、第１のシール部材８３に対して固定されている。
【００６５】
第２のシール部材８７は、略円筒形状に形成され、弾性部材、例えば、ゴム等によって形成されている。そして、その外径は、前記ガイド部材８５の小径部９３の内径よりも若干大きな径となっており、第２のシール部材８７は、小径部９３に対してしまり嵌めとなるようにして内嵌されている。また、第２のシール部材８７は、その内径が、下方から上方に向かって大きくなっており、連通手段としてのディフューザ孔８７ａが形成されている。そして、このディフューザ孔８７ａは、小径部９３に嵌合された状態で、前記小径部９３に形成された貫通孔９３ａと連通している。さらに、第２のシール部材８７は、その下面から、前記ディフューザ孔８７ａを囲うようにして下方に向かって環状に突設された当接部分としての密着部８７ｂを備える。
【００６６】
以上のようにして、空気室４５は、蛇腹部材８１，第１のシール部材８３，ガイド部材８５，第２のシール部材８７によって、第２のシール部材８７のディフューザ孔８７ａのみを介して外部に対して連通する内部空間Ｓを形成するようになっている。そして、この内部空間Ｓは、蛇腹部材８１の伸縮に伴って、その容積が増減する。
【００６７】
また、空気室４５は、前記ガイド部材８５の大径部９１に対して、前記当接部６４の第１の円筒状凸部７１が隙間嵌めとなるようにして内嵌されている。なお、このとき、前記第２のシール部材８７のディフューザ孔８７ａと、当接部６４の貫通孔７３とは、鉛直方向に重なるような位置関係となっている。そして、ガイド部材８５は、前記当接部６４に対して上下方向に相対移動可能に支持されている。
【００６８】
従って、当接部６４が、ガイド部材８５に対して当接しようとする方向、すなわち、上方向に向かってガイド部材８５に対して相対移動することにより、当接部６４の環状凸部７５と前記密着部８７ｂとが密着する。この結果、前記内部空間Ｓが、貫通孔７３等を介して加圧チューブ３７に対して気密な状態で連通する。また、当接部６４が、ガイド部材８５に対して非当接、すなわち、離間しようとする方向（下方向）に向かってガイド部材８５に対して相対移動することにより、当接部６４の環状凸部７５と密着部８７ｂとが離間する。この結果、前記内部空間Ｓは、ガイド部材８５の大径部９１と当接部６４の第１の円筒状凸部７１との間の隙間を介して外部（大気）と連通するようになる。
【００６９】
なお、本実施形態においては、前記当接部６４の位置が、図３に示すような位置である場合には、前記蛇腹部材８１はこれ以上、上下方向に延びないようになっている。そして、この状態においては、当接部６４の環状凸部７５と密着部８７ｂとが密着し、内部空間Ｓと加圧チューブ３７との間が気密状態で連通されている。
【００７０】
また、図５に示すように、当接部６４の位置が、図３に示す位置よりも、上方に位置している場合にも、蛇腹部材８１には、上下方向に拡大しようとする復帰力が発生し、当接部６４の環状凸部７５と密着部８７ｂとが密着し、内部空間Ｓと加圧チューブ３７との間が気密状態で連通される。一方、図６に示すように、当接部６４の位置が、図３に示す位
置よりも、下方に位置している場合には、蛇腹部材８１が延びることができないため、当接部６４のみが下方に移動し、当接部６４がガイド部材８５に対して離間する。この結果、当接部６４の環状凸部７５と密着部８７ｂとが離間し、内部空間Ｓが、ガイド部材８５の大径部９１と当接部６４の第１の円筒状凸部７１との間の隙間を介して外部（大気）と連通する。
【００７１】
図３及び図４に示すように、検出部４６は、前記上側板４７から下方に向かって延設されている支持板４７ａに支持されている。そして、図４に示すように、検出部４６は、前記リードスクリュー６１，６２の軸心方向と直交する回動軸９５と、同回動軸９５を回動中心として回動するレバー９７とを備える。そして、レバー９７は、前記当接部６４に設けられているレバー押上部７９と鉛直方向の位置が重なるようになっている。また、このレバー９７は、外部から力が加わっていない状態においては、水平方向に位置している。
【００７２】
そして、検出部４６は、下方からの力により、レバー９７が上方に回動されると、オン信号を出力するようになっている。従って、図５に示すように、当接部６４が上方に移動し、検出部４６のレバー９７（図４参照）にレバー押上部７９が当接し、レバー９７が上方に回動されることにより、検出部４６からオン信号が出力される。また、図３及び図６に示すように、当接部６４が下方に位置し、検出部４６のレバー９７（図４参照）にレバー押上部７９が当接していない場合には、検出部４６からのオン信号の出力が停止される。そして、本実施形態においては、検出部４６とレバー押上部７９とによって容積検出手段としてのセンサが構成されている。
【００７３】
すなわち、以上のように形成された加圧ポンプ２５は、図３に示す状態から、加圧ポンプモータ５９が正回転されると、当接部６４の位置がリードスクリュー６１，６２に沿って上昇し、図５に示すように、当接部６４の環状凸部７５と空気室４５の密着部８７ｂとが密着した状態に維持される。そして、蛇腹部材８１は上下方向に縮み、空気室４５の内部空間Ｓの容積が減少する。この結果、空気室４５から、加圧チューブ３７、前記空気供給チューブ３９（図１参照）、インクカートリッジ２３の隙間３３（図２参照）内が気密状態に保たれたままその容積が減少し、内部の空気の圧力が上昇する。
【００７４】
これにより、インクカートリッジ２３の隙間３３内における圧力上昇によって、インクパック３２（図２参照）が押し潰され、インクパック３２から前記バルブユニット２１（図１参照）へとインクが供給される。
【００７５】
一方、加圧ポンプ２５の当接部６４が、図５に示す状態にまで上昇すると、前記当接部６４のレバー押上部７９が検出部４６のレバー９７（図４参照）に対して当接し、レバー９７が上方に回動される。そして、検出部４６からは、オン信号が出力される。
【００７６】
また、加圧ポンプ２５は、図５に示す状態から、加圧ポンプモータ５９が逆回転され、当接部６４の位置がリードスクリュー６１，６２に従って下降すると、図３に示すように、当接部６４の環状凸部７５と空気室４５の密着部８７ｂとが密着した状態のままで、空気室４５の内部空間Ｓの容積が拡大する。この結果、空気室４５から加圧チューブ３７、空気供給チューブ３９，インクカートリッジ２３の隙間３３の内部が、気密状態に保たれたままその容積が拡大する。この結果、内部の空気の圧力が減少し、インクパック３２に対する加圧力が停止し、インクパック３２からバルブユニット２１へと供給されるインクの流れが停止される。
【００７７】
さらに、加圧ポンプ２５は、図３に示す状態から、加圧ポンプモータ５９が逆回転され、当接部６４の位置がリードスクリュー６１，６２に従って下降すると、図６に示すように、当接部６４の環状凸部７５と空気室４５の密着部８７ｂとが離間した状態となる。こ
の結果、環状凸部７５と密着部８７ｂとの隙間から、空気室４５、加圧チューブ３７、空気供給チューブ３９、インクカートリッジ２３の隙間３３へと大気が流入し、これらの内部における圧力が大気圧とされる。
【００７８】
すなわち、加圧ポンプ２５は、加圧ポンプモータ５９が正逆回転に伴って上記の動作を繰り返すようになる。この結果、前記インクカートリッジ２３の隙間３３における圧力が、加圧ポンプ２５の動作に従って変化し、インクカートリッジ２３からバルブユニット２１へとインクが供給され、バルブユニット２１にて圧力調整されたインクが記録ヘッド２０から噴射される。
【００７９】
次に、以上のように構成されたインクジェット式記録装置１１の電気的構成について、図７に従って説明する。
図７に示すように、インクジェット式記録装置１１は、制御手段としてのＣＰＵ１０１、ＲＯＭ１０２、ＲＡＭ１０３を備える。また、インクジェット式記録装置１１は、検出部４６、第１のモータ駆動回路１０５、第２のモータ駆動回路１０６、第３のモータ駆動回路１０７、ヘッド駆動回路１０８を備える。そして、これらは、バス１０９を介してお互いに接続されている。
【００８０】
ＣＰＵ１０１は、前記検出部４６からオン信号を入力する。また、ＣＰＵ１０１は、第１のモータ駆動回路１０５を介して、前記紙送り手段を駆動させるための紙送りモータ１１４と接続され、駆動制御のための駆動制御信号を出力する。
【００８１】
さらに、ＣＰＵ１０１は、第２のモータ駆動回路１０６を介して前記キャリッジモータ１７に対して接続され、キャリッジモータ１７に対して駆動制御のための駆動制御信号を出力する。
【００８２】
また、ＣＰＵ１０１は、第３のモータ駆動回路１０７を介して、前記加圧ポンプモータ５９に接続され、同加圧ポンプモータ５９を正逆回転させるための駆動制御信号を出力する。さらにまた、ＣＰＵ１０１は、ヘッド駆動回路１０８を介して、前記記録ヘッド２０に接続され、記録ヘッド２０に設けられているノズルからインクを吐出させるための図示しないノズル駆動体に対してノズル駆動信号を出力する。
【００８３】
ＣＰＵ１０１は、ＲＯＭ１０２に記憶された各種プログラムに従って動作し、その演算処理結果等を一時ＲＡＭ１０３に記憶するようになっている。詳述すると、ＲＯＭ１０２は、空気加圧プログラム及びその他プログラムを備えている。
【００８４】
空気加圧プログラムは、ＣＰＵ１０１が、前記検出部４６からオン信号を入力すると、前記ヘッド駆動回路１０８を介して記録ヘッド２０へのノズル駆動信号の出力を停止するためのプログラムである。また、空気加圧プログラムは、ＣＰＵ１０１が、前記検出部４６からオン信号を入力すると、前記第３のモータ駆動回路１０７を介して加圧ポンプモータ５９を逆回転させ、加圧ポンプ２５の当接部６４を下降させるためのプログラムである。
【００８５】
さらに、空気加圧プログラムは、ＣＰＵ１０１が前記加圧ポンプモータ５９を逆回転し始めるときに、前記第１のモータ駆動回路１０５を介して紙送りモータ１１４を駆動させ、紙送り手段によって記録媒体を紙送りさせるためのプログラムである。さらにまた、空気加圧プログラムは、ＣＰＵ１０１が、前記加圧ポンプモータ５９を、前記当接部６４の環状凸部７５と前記密着部８７ｂとが離間する位置まで駆動させると、前記加圧ポンプモータ５９に対して、正回転するための駆動信号を出力するためのプログラムである。また、空気加圧プログラムは、加圧ポンプモータ５９の正回転にともなって、記録ヘッド２０
へとノズル駆動信号の出力を行うためのプログラムでもある。
【００８６】
従って、ＣＰＵ１０１は、前記検出部４６からオン信号を入力すると、空気加圧プログラムに従って、記録ヘッド２０に対するノズル駆動信号の出力を停止させる。また、ＣＰＵ１０１は、空気加圧プログラムに従って、加圧ポンプモータ５９に駆動信号を出力し、加圧ポンプモータ５９を逆回転させる。
【００８７】
そして、ＣＰＵ１０１は、加圧ポンプモータ５９に対して、加圧ポンプモータ５９を逆回転させるための駆動信号を出力すると、空気加圧プログラムに従って、紙送りモータ１１４を駆動させ、紙送り手段によって記録媒体を紙送りさせる。そして、加圧ポンプモータ５９の逆回転により、加圧ポンプ２５における環状凸部７５と密着部８７ｂとが離間されるまで、当接部６４が下降すると、ＣＰＵ１０１は、空気加圧プログラムに従って、加圧ポンプモータ５９を正回転するように駆動させる。また、ＣＰＵ１０１は、空気加圧プログラムに従って、記録ヘッド２０へとノズル駆動信号の出力を行う。
【００８８】
すなわち、本実施形態におけるインクジェット式記録装置１１は、印刷中においては、ＣＰＵ１０１が、第３のモータ駆動回路１０７を介して加圧ポンプモータ５９を正回転するように駆動させることにより、加圧ポンプ２５において加圧空気が形成される。この結果、インクカートリッジ２３における隙間３３における空気が加圧され、インクパック３２内のインクがバルブユニット２１へと供給される。そして、バルブユニット２１において圧力調整されたインクが記録ヘッド２０からインク滴として噴射され、記録媒体に対して付着されることにより印刷が行われる。
【００８９】
そして、図５に示すように、加圧ポンプ２５における当接部６４の上昇が進み、当接部６４のレバー押上部７９によって、検出部４６のレバー９７が回動されると、検出部４６からＣＰＵ１０１に対してオン信号が出力される。ＣＰＵ１０１は、オン信号を入力すると、前記空気加圧プログラムに従って、まず、記録ヘッド２０に対するノズル駆動信号の出力を停止させる。この結果、記録ヘッド２０からのインクの噴射が停止される。
【００９０】
そして、この状態から、ＣＰＵ１０１は、空気加圧プログラムに従って、加圧ポンプモータ５９に対して駆動信号を出力し、加圧ポンプモータ５９が逆回転される。この結果、加圧ポンプ２５における当接部６４が下降し、加圧ポンプ２５の空気室４５内の内部空間Ｓの容積が増大する。そして、インクカートリッジ２３内の隙間３３における圧力が低下し、インクパック３２からバルブユニット２１へと供給されるインクの流れが停止される。
【００９１】
なお、このとき、記録ヘッド２０からのインクの噴射が行われている場合には、バルブユニット２１内に一時貯留されているインクが全て記録ヘッド２０から噴射されることにより、インクの不足による空打が生じるおそれがある。しかし、本実施形態においては、記録ヘッド２０からのインクの噴射が停止されているので、このようなことが生じないようになっている。
【００９２】
また、このとき、ＣＰＵ１０１は、空気加圧プログラムに従って、紙送りモータ１１４を駆動させ、紙送り手段によって記録媒体を紙送りさせる。この結果、記録媒体の紙送りが、インクの噴射の停止されているときに行われるようになり、印刷時間の短縮を図られ、印刷の効率を向上させることができる。
【００９３】
そして、加圧ポンプモータ５９の逆回転により、図６に示すように、加圧ポンプ２５における環状凸部７５と密着部８７ｂとが離間されるまで当接部６４が下降すると、環状凸部７５と密着部８７ｂとの間の隙間から大気が流入する。この結果、空気室４５内の内部
空間Ｓや、インクカートリッジ２３内の隙間３３における圧力が大気圧となる。
【００９４】
そして、ＣＰＵ１０１は、空気室４５の内部空間Ｓやインクカートリッジ２３内の隙間３３における圧力が大気圧となると、空気加圧プログラムに従って、加圧ポンプモータ５９を正回転させるように駆動させる。また、ＣＰＵ１０１は、空気加圧プログラムに従って、記録ヘッド２０へとノズル駆動信号の出力を行う。この結果、加圧ポンプ２５によってインクカートリッジ２３の隙間３３における空気の圧力が上昇され、インクパック３２からバルブユニット２１へとインクが供給される。そして、記録ヘッド２０の駆動により、バルブユニット２１からインクが供給され、記録ヘッド２０から記録媒体に対してインクの噴射が行われる。従って、本実施形態におけるインクジェット式記録装置１１は、印刷中においては、以上の動作を繰り返すことにより、効率良く印刷を行うことが可能となっている。
【００９５】
なお、本実施形態のインクジェット式記録装置１１においては、印刷の行われていない、休止期間中においては、図６に示すように、加圧ポンプ２５は、環状凸部７５と密着部８７ｂとが離間されるまで当接部６４が下降された状態であるものとする。従って、印刷の停止期間中においては、空気室４５内の内部空間Ｓや、インクカートリッジ２３内の隙間３３における圧力が大気圧に維持されている。
【００９６】
従って、この状態においては、インクカートリッジ２３のインクケース３１の膨張が防がれ、インクカートリッジ２３を前記カートリッジホルダ１２ａから着脱することが容易となる。さらに、インクカートリッジ２３をカートリッジホルダ１２ａから着脱するときに、インク排出口３２ａ等からインクが漏出することも防がれるようになっている。
【００９７】
上記実施形態によれば、以下のような効果を得ることができる。
（１）上記実施形態では、当接部６４が上方向に移動することによって、空気室４５の蛇腹部材８１が縮み、空気室４５の内部空間Ｓの容積が減少される。この結果、空気室４５からインクカートリッジ２３の隙間３３までの間における空気の圧力が上昇され、加圧ポンプ２５が加圧状態となる。そして、インクカートリッジ２３内のインクパック３２が押し潰され、インクパック３２内のインクがバルブユニット２１を介して記録ヘッド２０から噴射される。
【００９８】
また、当接部６４が下方向に移動することによって、空気室４５の蛇腹部材８１が伸び、空気室４５の内部空間Ｓの容積が増加される。この結果、空気室４５の内部空間Ｓからインクカートリッジ２３の隙間３３の間が減圧され、加圧ポンプ２５が非加圧状態とされる。さらに、当接部６４の環状凸部７５と、密着部８７ｂとが離間することによって、空気室４５の内部空間Ｓやインクカートリッジ２３の隙間３３へと大気が流入し、空気室４５の内部空間Ｓからインクカートリッジ２３の隙間３３までの間が大気圧とほぼ等しくなる。
【００９９】
従って、空気室４５の内部空間Ｓからインクカートリッジ２３の隙間３３までの間が大気圧とほぼ等しくなっているときには、インクカートリッジ２３のインクケース３１が膨張されないようになっている。そして、このとき、インクカートリッジ２３をインクジェット式記録装置１１のカートリッジホルダ１２ａに対して着脱するようにすれば、容易にインクカートリッジ２３を着脱することができる。さらに、着脱時において、インクパック３２のインク排出口３２ａからインクが漏れ出すことを防ぐことができる。
【０１００】
従って、本実施形態においては、当接部６４の上下方向における位置を変更することで、加圧ポンプ２５を加圧状態及び非加圧状態としたり、空気室４５の内部空間Ｓからインクカートリッジ２３の隙間３３までの間を大気圧とほぼ等しくしたりすることができる。
そして、内部空間Ｓからインクカートリッジ２３の隙間３３までの間を大気圧とほぼ等しくするために、電磁弁等の新たな大気開放弁を設ける必要がないので、部品点数の増加や、制御の複雑化を防ぐことができる。
【０１０１】
（２）本実施形態では、空気室４５は、蛇腹部材８１の伸縮によりその内部空間Ｓの容積が変化するようにした。従って、空気室４５の伸縮の方向を直線状とすることができ、空気室４５の容積を変化させるための押圧装置４３の構造を簡素化させることができる。また、蛇腹部材８１は、小さな力で伸縮するので、空気室４５の容積変化のための負荷を低減することができる。
【０１０２】
（３）本実施形態では、空気室４５は、ブロー成形により形成された蛇腹部材８１を使用するようにした。従って、空気室４５をブロー成形用の簡易な製造装置により容易に製造することができ、製造コストを低減することができる。
【０１０３】
（４）本実施形態では、当接部６４と当接する部分である、空気室４５の密着部８７ｂが、弾性部材によって形成されるようにした。従って、加圧ポンプ２５が加圧状態にあるときに、空気室４５と当接部６４との間の密着性が増し、空気室４５の内部空間Ｓの閉塞性を高めて、加圧時の気密性を高めることができる。
【０１０４】
（５）本実施形態では、押圧装置４３は、加圧ポンプモータ５９、リードスクリュー６１，６２、当接部６４によって構成されるようにした。これによれば、加圧ポンプモータ５９の回転運動が、リードスクリュー６１，６２によって直線運動に変換されており、加圧ポンプ２５の全体をコンパクトにすることができる。そして、加圧ポンプモータ５９の回転方向を制御するのみで、当接部６４の位置を直線的に変化させて、加圧ポンプ２５を加圧状態としたり非加圧状態としたりすることができ、制御が容易となる。
【０１０５】
（６）本実施形態では、変換手段としてリードスクリュー６１，６２を使用するようにした。これによれば、リードスクリュー６１，６２は、同じく、変換手段としてのカム機構に比較してコンパクトであるので、変換手段としてカム機構を使用した場合に比較して、加圧ポンプ２５をよりコンパクトにすることができる。
【０１０６】
（７）本実施形態では、加圧ポンプ２５の押圧装置４３は、２本のリードスクリュー６１，６２を備えるようにした。従って、押圧装置４３の当接部６４は、２本のリードスクリュー６１，６２に沿って上下方向に移動するようになり、蛇腹部材８１を、座屈等を生じさせることなく安定的に伸縮させることができる。
【０１０７】
（８）本実施形態では、加圧ポンプ２５に検出部４６とレバー押上部７９とを設け、当接部６４が上昇し、レバー押上部７９によって検出部４６のレバー９７が回動されることで、ＣＰＵ１０１にオン信号が出力されるようにした。そして、ＣＰＵ１０１は、オン信号を入力すると、空気加圧プログラムに従って、加圧ポンプモータ５９を逆回転するように制御し、その後、正回転するように制御するようにした。
【０１０８】
従って、ＣＰＵ１０１は、空気室４５が収縮し、空気室４５内の内部空間Ｓの容積が所定値以下になっているか否かを、検出部４６からのオン信号に基づいて判別することができる。そして、ＣＰＵ１０１は、検出部４６からのオン信号に基づいて、加圧ポンプモータ５９を逆回転させ、その後、正回転させるので、引き続き、加圧ポンプ２５において、加圧空気が作成されるようになる。従って、空気室４５が最大限収縮して、空気室４５の内部空間Ｓの容積が最小限まで小さくなることにより、加圧ポンプ２５において、もうこれ以上加圧空気を作成することができなくなる、という状態が維持されないようにすることができる。
【０１０９】
（９）本実施形態では、加圧ポンプ２５の検出部４６とレバー押上部７９とによって、空気室４５の内部空間Ｓの容積が、所定値以下になっているか否かを判別できるようにした。従って、簡単な構成で加圧ポンプ２５の内部空間Ｓにおける容積の状況が検出することができる。
【０１１０】
（１０）本実施形態では、検出部４６とレバー押上部７９とによって空気室４５の内部空間Ｓの容積が所定値以下となると検出されると、ＣＰＵ１０１は、空気加圧プログラムに従って、記録ヘッド２０の駆動が停止されるように制御するようにした。従って、空気室４５の内部空間Ｓの容積が所定値以下となって、もうこれ以上インクパック３２からバルブユニット２１へとインクを供給できなくなった場合に、記録ヘッド２０における駆動が停止されるようになる。この結果、記録ヘッド２０において、バルブユニット２１におけるインク不足による空打の発生が防止される。
【０１１１】
（１１）本実施形態では、ＣＰＵ１０１は、検出部４６からオン信号を入力すると、記録ヘッド２０の駆動を停止するとともに、空気加圧プログラムに従って、紙送りモータ１１４を駆動制御し、紙送り手段によって記録媒体を紙送りさせるようにした。従って、記録ヘッド２０における駆動が停止され、記録媒体に対してインクの噴射が行われていないときに、紙送り手段によって記録媒体が紙送りされるようになり、印刷の効率が向上される。
（第２実施形態）
次に、本発明の第２実施形態について図８、図９及び図１０に従って説明する。本実施形態は、第１実施形態で説明した空気室４５と押圧装置４３との間に付勢手段を設けた点が相違し、他は第１実施形態と同じ構成である。従って、本実施形態では、説明の便宜上、第１実施形態と相違する点を詳細に説明し、他は符号を同じにして省略する。図８は、本実施形態の加圧ポンプ２５の断面図であって、前記第１実施形態の図３に対応する断面図を示す。図９は、本実施形態の加圧ポンプ２５の作用を示す図であって、前記第１実施形態の図５に対応する図を示す。図１０は、本実施形態の加圧ポンプ２５の作用を示す図であって、前記第１実施形態の図６に対応する図を示す。
【０１１２】
図８において、押圧装置４３の当接部６４に形成した一対の円筒状係合部７７，７８の側面上部には、係合突起１１１，１１２をそれぞれ延出形成している。係合突起１１１，１１２は、当接部６４の中央部に設けた第１の円筒状凸部７１側に延出形成され、その係合突起１１１，１１２の下面が空気室４５のガイド部材８５の上面周縁部８５ａと相対向するようになっている。
【０１１３】
ガイド部材８５の上面周縁部８５ａには、蛇腹部材８１の開口部８１ａの外周を囲むように、付勢手段としてのコイルバネ１１３が配置されている。コイルバネ１１３は、下端が上面周縁部８５ａに係合し、上端が係合突起１１１，１１２に係合するようになっている。
【０１１４】
ここで、コイルバネ１１３について詳述する。コイルバネ１１３は、図８に示すように蛇腹部材８１がこれ以上、上下方向に延びない状態の位置に、押圧装置４３（当接部６４）が位置している時、コイルバネ１１３は、上下方向に伸張するように配設されていて、上面周縁部８５ａ及び係合突起１１１，１１２に弾性力を付与する状態に設定されている。また、コイルバネ１１３は、押圧装置４３（当接部６４）が図８から図１０に示す位置に下降すると、蛇腹部材８１が上下方向にこれ以上延びないことから、反対に縮められるように設定されている。
【０１１５】
つまり、コイルバネ１１３は、押圧装置４３（当接部６４）が図８に示す位置から上に
あるとき、ガイド部材８５を下方に押圧して当接部６４の環状凸部７５が、空気室４５の密着部８７ｂと密着した状態を保持する。従って、図８に示す位置よりも、上方に位置（例えば図９に示す位置）している場合には、蛇腹部材８１の上下方向に拡大する復帰力の他に、コイルバネ１１３の弾性力が密着部８７ｂを介して当接部６４の環状凸部７５に加わることになる。
【０１１６】
そして、当接部６４ｂが図９から図８に示す位置まで下降するまで、当接部６４の環状凸部７５と空気室４５の密着部８７ｂとが、復帰力と弾性力とで密着した状態のままで、空気室４５の内部空間Ｓの容積が拡大する。この結果、空気室４５から加圧チューブ３７、空気供給チューブ３９，インクカートリッジ２３の隙間３３の内部が、気密状態に保たれたままその容積が拡大する。この結果、内部の空気の圧力が減少し、インクパック３２に対する加圧力が停止し、インクパック３２からバルブユニット２１へと供給されるインクの流れが停止される。
【０１１７】
一方、当接部６４が図８に示す位置から図１０に示す下方位置まで移動すると、コイルバネ１１３が縮み当接部６４の環状凸部７５と空気室４５の密着部８７ｂとが離間した状態となる。この結果、環状凸部７５と密着部８７ｂとの隙間から、空気室４５、加圧チューブ３７、空気供給チューブ３９、インクカートリッジ２３の隙間３３へと大気が流入し、これらの内部における圧力が大気圧とされる。
【０１１８】
つぎに上記のように構成された、加圧ポンプ２５の作用について説明する。
いま、インクジェット式記録装置１１において、印刷の行われていない休止期間中においては、図１０に示すように、加圧ポンプ２５は、環状凸部７５と密着部８７ｂとが離間されるまで当接部６４が下降された状態に位置制御されている。つまり、第１実施形態と同様に、印刷の停止期間中においては、空気室４５内の内部空間Ｓや、インクカートリッジ２３内の隙間３３における圧力が大気圧に維持されている。その結果、この状態においては、インクカートリッジ２３のインクケース３１の膨張がなく、インクカートリッジ２３を前記カートリッジホルダ１２ａから着脱することが容易となる。さらに、インクカートリッジ２３をカートリッジホルダ１２ａから着脱するときに、インク排出口３２ａ等からインクが漏出するがない。
【０１１９】
そして、インクジェット式記録装置１１において、印刷が開始されると、加圧ポンプモータ５９を正回転制御して環状凸部７５と密着部８７ｂとを密着させながら当接部６４を上昇させる。この結果、インクカートリッジ２３の隙間３３における空気が加圧され、インクパック３２内のインクがバルブユニット２１へと供給される。そして、バルブユニット２１において圧力調整されたインクが記録ヘッド２０からインク滴として噴射され、記録媒体に対して付着されることにより印刷が行われる。
【０１２０】
図９に示すように、加圧ポンプ２５における当接部６４の上昇が進み、当接部６４のレバー押上部７９によって、検出部４６のレバー９７が回動される。そして、検出部４６からのオン信号に基づいて記録ヘッド２０からのインクの噴射が停止される。続いて、加圧ポンプモータ５９を逆回転させ、当接部６４を下降させる。これによって、加圧ポンプ２５の空気室４５内の内部空間Ｓの容積が増大する。そして、インクカートリッジ２３内の隙間３３における圧力が低下し、インクパック３２からバルブユニット２１へと供給されるインクの流れが停止する。
【０１２１】
そして、加圧ポンプモータ５９の逆回転により、当接部６４が、図１０に示すように、環状凸部７５と密着部８７ｂとが離間されるまで下降すると、環状凸部７５と密着部８７ｂとの間の隙間から大気が流入する。この結果、空気室４５内の内部空間Ｓや、インクカートリッジ２３内の隙間３３における圧力が大気圧となる。
【０１２２】
そして、空気室４５の内部空間Ｓやインクカートリッジ２３内の隙間３３における圧力が大気圧となると、加圧ポンプモータ５９は正回転するように駆動制御される。従って、前記と同様に、当接部６４が環状凸部７５と密着部８７ｂとを密着させながら上昇することから、インクカートリッジ２３の隙間３３における空気が加圧され、インクパック３２内のインクがバルブユニット２１へと供給される。これと同時に、記録ヘッド２０の駆動が開始されてバルブユニット２１からインクが記録ヘッド２０に供給され、記録ヘッド２０から記録媒体に対してインクの噴射が行われる。以後、インクジェット式記録装置１１は、印刷中においては、以上の動作を繰り返すことにより、効率良く印刷を行う。
【０１２３】
そして、印刷が終了すると、図１０に示すように、加圧ポンプ２５は、加圧ポンプモータ５９は逆回転して、図１０に示す環状凸部７５と密着部８７ｂとが離間されるまで当接部６４を下降させて次の印刷動作を待つ。
【０１２４】
次に、コイルバネ１１３の作用について説明する。
いま、当接部６４が図８に示す位置より上方位置、例えば、図９に示す位置にあるときに、インクジェット式記録装置１１の電源が切られ、その状態で長時間放置された場合、蛇腹部材８１はクリープして図９に示す縮んだ状態になってしまう場合が想定される。蛇腹部材８１はこのクリープして縮んだ状態になった場合、印刷を開始する際に、図１０から図９に向かって、当接部６４を上昇させる。このとき、蛇腹部材８１はこのクリープしているため、図９に示す状態に縮もうとする力が発生する。縮もうとする力は、環状凸部７５と密着部８７ｂとを離間させる力として作用する。従って、いくら加圧ポンプモータ５９を正回転させても、環状凸部７５と密着部８７ｂとが密着せず、加圧空気がインクカートリッジ２３の隙間３３に供給されないことになる。つまり、インクパック３２内のインクがバルブユニット２１へと供給されず記録ヘッド２０において空打が生じるおそれがある。
【０１２５】
しかし、本実施形態においては、コイルバネ１１３を設けたことによって、当接部６４が図８に示す位置から上にあるときは、ガイド部材８５を下方に押圧して当接部６４の環状凸部７５と空気室４５の密着部８７ｂとが密着する状態を保持する。従って、蛇腹部材８１がクリープして縮んだ状態になった場合でも、確実に環状凸部７５と密着部８７ｂとを密着させることができる。その結果、インクカートリッジ２３に加圧空気が供給されなかったり、供給不足になるといったことを未然に防止することができる。
【０１２６】
上記第２実施形態によれば、第１実施形態の効果に加えて、以下のような効果を得ることができる。
（１２）円筒状係合部７７，７８に形成した係合突起１１１，１１２とガイド部材８５の上面周縁部８５ａとの間に当接部６４の環状凸部７５と空気室４５の密着部８７ｂとを密着させる方向に弾性力が働くコイルバネ１１３を配置した。
【０１２７】
従って、蛇腹部材８１が、長時間同じ状態で放置されて同蛇腹部材８１がクリープして環状凸部７５と密着部８７ｂが離間する方向の力が発生しても、コイルバネ１１３の弾性力によって、蛇腹部材８１が上下方向の延ばし環状凸部７５と密着部８７ｂを確実に密着させることができる。
【０１２８】
なお、上記実施形態は以下のように変更してもよい。
・上記実施形態では、空気室４５の蛇腹部材８１は、ブロー成形により形成されるようにしたが、他の成型方法により形成されるようにしてもよい。
【０１２９】
・上記実施形態では、空気室４５の密着部８７ｂが弾性部材によって形成されるように
した。これを、弾性部材以外の材料にて形成されるようにしてもよい。
・上記実施形態では、空気室４５は、蛇腹形状に形成されている蛇腹部材８１を使用するようにした。これを、空気室４５における内部空間Ｓの容積を増減可能であるとともに、容積が減少すると、容積が増加する方向に復帰しようとする部材であれば、他の形状の部材を蛇腹部材８１の代わりに使用するようにしてもよい。例えば、蛇腹部材８１の代わりに、フイゴ形状に形成されている部材や、ゴムボール等を使用するようにしてもよい。
【０１３０】
・上記実施形態では、加圧ポンプ２５において、変換手段としてリードスクリュー６１，６２を使用するようにした。これを、加圧ポンプモータ５９の回転運動を、直線運動に変換することができるのであれば、その他の変換手段を使用するようにしてもよい。例えば、変換手段として、クランク機構や、カムを使用するようにしてもよい。
【０１３１】
・上記実施形態では、加圧ポンプ２５において、リードスクリュー６１，６２は、２本設けるようにした。これを、１本、あるいは、３本以上設けるようにしてもよい。リードスクリューの本数が少なくすれば部品数を少なくすることができる一方、多くすれば蛇腹部材８１をより安定的に伸縮させることができる。なお、リードスクリュー６１，６２の数の変更する場合には、当接部６４における円筒状係合部７７，７８の数も、合わせて変更する。
【０１３２】
・上記実施形態では、検出部４６を設けたが、検出部を省略して加圧ポンプ２５を構成してもよい。
・上記実施形態では、検出部４６からのオン信号に基づいて、ＣＰＵ１０１は、空気加圧プログラムに従って、加圧ポンプモータ５９を逆回転させたり、正回転させたりするようにした。これを、ＣＰＵ１０１は、検出部４６のオン信号の入力にかかわらず、加圧ポンプモータ５９を正逆回転するように制御可能とするようにしてもよい。
【０１３３】
・上記実施形態では、容積検出手段として、検出部４６とレバー押上部７９とを使用するようにした。これを、空気室４５の内部空間Ｓにおける容積が所定値以下であるか否かを検出できるものであれば、その他の容積検出手段を使用するようにしてもよい。例えば、加圧ポンプモータ５９における回転数及び回転方向に基づいて、内部空間Ｓにおける容積を検出する手段を使用するようにしてもよい。
【０１３４】
・上記実施形態においては、空気加圧プログラムは、ＣＰＵ１０１が、検出部４６からオン信号を入力すると、記録ヘッド２０へのノズル駆動信号の出力を停止させるためのプログラムであるようにした。これを、ＣＰＵ１０１が、検出部４６からオン信号を入力しても、記録ヘッド２０へのノズル駆動信号の出力を停止させないプログラムであるようにしてもよい。
【０１３５】
・上記実施形態においては、空気加圧プログラムは、ＣＰＵ１０１が加圧ポンプモータ５９を逆回転し始めるときに、紙送りモータ１１４を駆動させ、紙送り手段によって記録媒体を紙送りさせるためのプログラムであるようにした。これを、ＣＰＵ１０１が加圧ポンプモータ５９を逆回転し始めるときに、紙送りモータ１１４を駆動させないようなプログラムとしてもよい。
【０１３６】
・上記実施形態においては、液体カートリッジとしてのインクカートリッジ２３は、液体収容部としてのインクパック３２と、加圧室としてのインクケース３１とによって構成されるようにした。これをその他の液体収容部と加圧室とによって構成される液体カートリッジに具体化するようにしてもよい。なお、その他の液体収容部としては、箱体等の内部を可撓部としてのフィルム等で仕切ることによって、液体収容部と加圧室とを形成するようなものに具体化するようにしてもよい。
【０１３７】
・上記第２実施形態では、付勢手段としてのコイルバネ１１３を、円筒状係合部７７，７８に形成した係合突起１１１，１１２とガイド部材８５の上面周縁部８５ａの間であって蛇腹部材８１の開口部８１ａの外周を囲むように配設したが、これに限定されるものではない。要は、空気室４５を押圧装置４３側に付勢して環状凸部７５と空気室４５の密着部８７ｂとが密着する状態を保持する構成であればどんな構成でもよい。
【０１３８】
・上記実施形態においては、液体噴射装置として、インクを吐出するインクジェット式記録装置１１（ファックス、コピア等の印刷装置を含む）を用いて説明した。これを、他の液体を噴射する液体噴射装置に具体化するようにしてもよい。例えば、他の液体を噴射する液体噴射装置として、液晶ディスプレイ、ＥＬディスプレイ及び面発光ディスプレイの製造などに用いられる電極材や色材などの液体を噴射する液体噴射装置、バイオチップ製造に用いられる生体有機物を噴射する液体噴射装置、精密ピペットとしての試料噴射装置であってもよい。
【図面の簡単な説明】
【０１３９】
【図１】第１実施形態におけるインクジェット式記録装置の平面図。
【図２】同じく、インクカートリッジの断面図。
【図３】同じく、加圧ポンプの断面図。
【図４】同じく、加圧ポンプの分解斜視図。
【図５】同じく、加圧ポンプの作用を説明する図。
【図６】同じく、加圧ポンプの作用を説明する図。
【図７】同じく、インクジェット式記録装置の電気的構成図。
【図８】第２実施形態における加圧ポンプの断面図。
【図９】同じく、加圧ポンプの作用を説明する図。
【図１０】同じく、加圧ポンプの作用を説明する図。
【符号の説明】
【０１４０】
Ｓ…内部空間、１１…液体噴射装置としてのインクジェット式記録装置、２０…液体噴射ヘッドとしての記録ヘッド、２３…液体カートリッジとしてのインクカートリッジ、２５…加圧ポンプ、３１…加圧室としてのインクケース、３２…液体収容部としてのインクパック、３３…隙間、３５…液体流路としてのインク供給チューブ、３７…空気流路を構成する加圧チューブ、３９…空気流路を構成する空気供給チューブ、４３…押圧手段としての押圧装置、４５…空気室、４６…センサを構成する検出部、５９…モータとしての加圧ポンプモータ、６１，６２…変換手段としてのリードスクリュー、６４…当接部、７９…センサを構成するレバー押上部、８７…弾性部材としての第２のシール部材、８７ａ…連通手段としてのディフューザ孔、８７ｂ…当接部分としての密着部、１０１…制御手段としてのＣＰＵ、１１３…付勢手段としてのコイルバネ。
【図１】
2004358956.tif 000003
【図２】
2004358956.tif 000004
【図３】
2004358956.tif 000005
【図４】
2004358956.tif 000006
【図５】
2004358956.tif 000007
【図６】
2004358956.tif 000008
【図７】
2004358956.tif 000009
【図８】
2004358956.tif 000010
【図９】
2004358956.tif 000011
【図１０】
2004358956.tif 000012